(57)【要約】【課題】ビデオカメラにより遠隔地から無線で送信された画像信号の受信レベルが低下したとき、一時的なチラツキが発生したり、同期が取れず画面が流れたり、映像が途絶えるのを防止する。【解決手段】ビデオカメラにより遠隔地から無線により送信された画像信号を受信して表示するヘッドマウントディスプレイであって、受信した画像信号を一旦フレーム毎に逐次フレームメモリーに保存し、該フレームメモリーから逐次読み出して表示部に画像表示し、受信レベルが低下した場合は、前記フレームメモリに保存されているフレーム画像を表示するヘッドマウントディスプレイとする。【選択図】      図２
2004287063.tif 000002
【特許請求の範囲】
【請求項１】
ビデオカメラにより遠隔地から無線により送信された画像信号を受信して表示するヘッドマウントディスプレイであって、受信した画像信号を一旦フレーム毎に逐次フレームメモリーに保存し、該フレームメモリーから逐次読み出して表示部に画像表示し、受信レベルが低下した場合は、前記フレームメモリに保存されているフレーム画像を表示することを特徴とするヘッドマウントディスプレイ。
【請求項２】
前記ヘッドマウントディスプレイは、音声認識手段と画像記憶メモリーを有し、音声指示により前記フレームメモリーに保存された画像を画像記憶メモリーに保存することを特徴とする請求項１記載のヘッドマウントディスプレイ。
【請求項３】
前記ヘッドマウントディスプレイにおいて、音声指示により画像記憶メモリーに保存された静止画像を表示することを特徴とする請求項２記載のヘッドマウントディスプレイ。
【発明の詳細な説明】
【０００１】
【発明の属する技術分野】
本発明はヘッドマウントディスプレイに関するものである。
【０００２】
【従来の技術】
ヘッドマウントディスプレイは軽量小型化が進み、用途が拡大してきている。図１は従来技術によるヘッドマウントディスプレイの外観斜視図である。ヘッドマウントディスプレイ１に、透視型ディスプレイ２、カメラ部３、ヘッドセット４、ＰＤＡ接続ｉ／ｆ部５及び不図示の視線入力部を設け、ＰＤＡ接続ｉ／ｆ部５に不図示の無線送受信機能付きのＰＤＡを接続する。透視型ディスプレイ２、カメラ部３、ヘッドセット４の動作を、視線入力部への視線入力によって操作し、ＰＤＡ接続ｉ／ｆ部５、ＰＤＡを介して外部機器へ画像、音声を送信し、また外部機器から画像、音声を受信し、透視型ディスプレイ２、ヘッドセット４に伝えるものである。
【０００３】
外界の透視、画像の表示、視線入力操作可能な透視型ディスプレイ、視線方向の外界を撮像可能なカメラ部、音声入力可能なヘッドセット、ＰＤＡ接続ｉ／ｆ部をヘッドマウント部に備えているので、一体型ヘッドマウントディスプレイと無線通信機能付きＰＤＡを接続して無線端末装置を構成することにより、無線通信機能付きＰＤＡをポケット等に保持すれば、両手が自由にならない状況においても、一体型ヘッドマウントディスプレイのみで視線入力操作により、テキストデータを含む画像、音声通信ができるものである。（例えば特許文献１参照）
【０００４】
これにより、通勤時の混雑した電車の中や野次馬で混雑した事故現場等、両手が自由にならない状況等においても、それぞれ無線を介してデータベースより引きだした画像を確認したり、現場の映像を無線で送信したりすることができる。
【０００５】
本発明に係わるヘッドマウントディスプレイは、ビデオカメラにより遠隔地から無線により送信された画像信号を受信して表示するヘッドマウントディスプレイである。
【０００６】
【特許文献１】
特開平１０−２０９９７号公報（第５頁、図７）
【０００７】
【発明が解決しようとする課題】
ビデオカメラにより遠隔地から無線で送信された画像信号の受信レベルが低下したとき、一時的なチラツキが発生したり、同期が取れず画面が流れる、最悪は映像が途絶えることがある。
【０００８】
ヘッドマウントディスプレイで見ている映像は一過性であり、見直しができない。
【０００９】
【課題を解決するための手段】
ビデオカメラにより遠隔地から無線により送信された画像信号を受信して表示するヘッドマウントディスプレイであって、受信した画像信号を一旦フレーム毎に逐次フレームメモリーに保存し、該フレームメモリーから逐次読み出して表示部に画像表示し、受信レベルが低下した場合は、前記フレームメモリに保存されているフレーム画像を表示するヘッドマウントディスプレイとする。
【００１０】
前記ヘッドマウントディスプレイは、音声認識手段と画像記憶メモリーを有し、音声指示により前記フレームメモリーに保存された画像を画像記憶メモリーに保存するヘッドマウントディスプレイとする。
【００１１】
前記ヘッドマウントディスプレイにおいて、音声指示により画像記憶メモリーに保存された静止画像を表示するヘッドマウントディスプレイとする。
【００１２】
【発明の実施の形態】
図２は本発明によるヘッドマウントディスプレイのブロック図である。１１は表示部、１２は映像制御部、１３は受信部、１４はアンテナ、１５はフレームメモリー、１６は記憶メモリー、１７は受信レベル検出部、１８は音声認識部、１９はマイク、２０はビデオカメラ、２１は送信部、２２はアンテナである。ビデオカメラ２０で撮影された映像は、送信部２１で所定の無線方式に変調され、アンテナ２２から送信される。送信されたデータはアンテナ１４で受信され、受信部１３で映像信号に復調され、受信レベル検出部１７と映像制御部１２に送られる。受信レベル検出部１７では受信レベルの判定をし、判定結果を映像制御部１２に送る。通常、受信部１３から映像制御部１２に送られた映像信号は、逐次フレームメモリー１５にフレーム毎に一旦記憶される。該フレームメモリー１５に記憶された映像信号は映像制御部１２で読み出し、表示部１１で表示する。
【００１３】
受信レベル検出部１７の判定で受信レベルが低下したと判定された場合、映像制御部１２はフレームメモリー１５に記憶されている映像信号を表示部１１に表示し続ける。受信レベルの低下した映像信号は、フレームメモリー１５への記憶を停止される。
【００１４】
記憶メモリー１６への画像信号保存は、音声により指示する。音声の指示はマイク１９から入力され音声信号に変換される。マイク１９からの音声信号は音声認識部１８で認識され、映像制御部１２でフレームメモリー１５の画像信号を記憶メモリー１６に保存する。記憶メモリー１６には複数の画像信号を記憶することが可能である。
【００１５】
記憶メモリー１６に保存されている画像は音声指示により表示部１１に表示できる。保存されている複数枚の画像は音声指示により順次表示することができる。これにより、一過性の映像を保存したいときに保存しておき、見たいときに見ることが可能となる。不要になった画像は削除すれば良い。
【００１６】
【発明の効果】
以上説明したように本発明のヘッドマウントディスプレイによれば、ビデオカメラにより遠隔地から無線で送信された画像信号の受信レベルが低下した場合でも、フレームメモリーに記憶されているフレーム画像を表示するので、一時的なチラツキが発生したり、同期が取れず画面が流れたり、映像が途絶えることは無くなる。
【００１７】
また、ヘッドマウントディスプレイで見ていた映像を、必要な画像を画像記憶メモリーに蓄積しておき、後で見直すことが可能となる。
【図面の簡単な説明】
【図１】従来技術によるヘッドマウントディスプレイの外観斜視図
【図２】本発明によるヘッドマウントディスプレイのブロック図
【符号の説明】
１    ヘッドマウントディスプレイ
２    透視型ディスプレイ
３    カメラ部
４    ヘッドセット
５    ＰＤＡ接続ｉ／ｆ部
１１    表示部
１２    映像制御部
１３    受信部
１４    アンテナ
１５    フレームメモリー
１６    記憶メモリー
１７    受信レベル検出部
１８    音声認識部
１９    マイク
２０    カメラ
２１    送信部
２２    アンテナ
【図１】
2004287063.tif 000003
【図２】
2004287063.tif 000004